【手続補正書】
【提出日】平成16年8月12日(2004.8.12)
【手続補正１】
【補正対象書類名】明細書
【補正対象項目名】特許請求の範囲
【補正方法】変更
【補正の内容】
【特許請求の範囲】
【請求項１】
医療処置中に正圧で使用するための煙フィルター装置であって、
内部キャビティを有し、かつ少なくとも第１の側壁と反対側の第２の側壁とを有し、第１および第２の側壁のそれぞれ少なくとも一部分が可撓性で、ガスを通過させることができる、フィルターハウジング、ならびに
少なくとも第１の多孔質フィルター要素と第２の多孔質フィルター要素とを備え、第１および第２のフィルター要素がそれぞれ疎水性の保持部材を含んでいる、煙を濾過できる煙フィルター、
を備え、
ここで、前記フィルター装置は、ガスが第１の多孔質フィルター要素とハウジングの第１の側壁とを通って内部キャビティに流れ込むことができる配置になっている煙フィルター装置。
【請求項２】
煙フィルター装置が、ガスが第２の多孔質フィルター要素とハウジングの第２の側壁とを通って前記内部キャビティに流れ込むこともできる配置になっている、請求項１に記載の煙フィルター装置。
【請求項３】
ハウジングの第１の側壁とハウジングの第２の側壁がそれぞれ不織布媒体を含んでいる、請求項１または２に記載の煙フィルター装置。
【請求項４】
炭素媒体を含む第１の臭気低減要素および炭素媒体を含む第２の臭気低減要素をさらに備える、請求項１〜３のいずれか１項に記載の煙フィルター装置。
【請求項５】
第１および第２の多孔質フィルター要素の有効濾過面積が、それぞれ少なくとも約12.9 cm2である、請求項１〜４のいずれか１項に記載の煙フィルター装置。
【請求項６】
第１の多孔質フィルター要素が不織布媒体を含んでいるハウジングの第１の側壁にシールされ、第２の多孔質フィルター要素が不織布媒体を含んでいるハウジングの第２の側壁にシールされている、請求項３に記載の煙フィルター装置。
【請求項７】
第１の多孔質フィルター要素が第１の臭気低減要素に隣接し、第２の多孔質フィルター要素が第２の臭気低減要素に隣接している、請求項４に記載の煙フィルター装置。
【請求項８】
第１の多孔質フィルター要素および第２の多孔質フィルター要素がそれぞれ膜を含んでいる、請求項１〜７のいずれか１項に記載の煙フィルター装置。
【請求項９】
ハウジングの第１の側壁にシールされた第１のウインドウ要素およびハウジングの第２の側壁にシールされた第２のウインドウ要素をさらに備える、請求項１〜８のいずれか１項に記載の煙フィルター装置。
【請求項１０】
入口およびこの入口と連通する導管をさらに備える、請求項１〜９のいずれか１項に記載の煙フィルター装置。
【請求項１１】
フィルター装置が、一定圧力で11 L/minの初期ガス流量から約50％以下のガス流量低下率で約６分までの累積煙の間、煙を濾過することができる、請求項１〜10のいずれか１項に記載の煙フィルター装置。
【請求項１２】
請求項10に記載の煙フィルター装置を備え、さらに前記導管に連通している、煙フィルター装置へのガスの流入を制御するためのガス流量調節装置を備える、煙フィルターセット。
【請求項１３】
医療処置中に正圧で使用するための煙フィルター装置であって、
入口と内部キャビティとを有し、かつ少なくとも第１の側壁と第２の側壁とを有し、第１および第２の側壁がそれぞれ不織布媒体を含んでいる、フィルターハウジング、ならびに
少なくとも第１の多孔質フィルター要素と第１の臭気低減要素および第２の多孔質フィルター要素と第２の臭気低減要素を備え、第１および第２のフィルター要素がそれぞれ疎水性の保持部材を含み、第１および第２の臭気低減要素がそれぞれ活性炭媒体を含んでいる、煙を濾過できる煙フィルター、
を備え、
ここで、前記フィルター装置は、ガスが前記入口から前記内部キャビティに、第１の多孔質フィルター要素、第１の臭気低減要素およびハウジングの第１の側壁を通って、および第２の多孔質フィルター要素、第２の臭気低減要素およびハウジングの第２の側壁を通って流れ込むことができる配置になっている、煙フィルター装置。
【請求項１４】
第１および第２の多孔質フィルター要素がそれぞれ膜を含んでいる、請求項13に記載の煙フィルター装置。
【請求項１５】
第１および第２の多孔質フィルター要素の有効濾過面積が、それぞれ少なくとも約12.9 cm2である、請求項13または14に記載の煙フィルター装置。
【請求項１６】
第１の多孔質フィルター要素が不織布媒体を含んでいるハウジングの第１の側壁にシールされ、第２の多孔質フィルター要素が不織布媒体を含んでいるハウジングの第２の側壁にシールされている、請求項13〜15のいずれか１項に記載の記載の煙フィルター装置。
【請求項１７】
第１の多孔質フィルター要素が第１の臭気低減要素に隣接し、第２の多孔質フィルター要素が第２の臭気低減要素に隣接している、請求項13〜16のいずれか１項に記載の煙フィルター装置。
【請求項１８】
ハウジングの第１の側壁にシールされた第１のウインドウ要素およびハウジングの第２の側壁にシールされた第２のウインドウ要素をさらに備える、請求項13〜17のいずれか１項に記載の煙フィルター装置。
【請求項１９】
第１および第２の多孔質フィルター要素がそれぞれＰＴＦＥ膜を含んでいる、請求項13〜18のいずれか１項に記載の煙フィルター装置。
【請求項２０】
各疎水性保持部材がＰＴＦＥ膜を含んでいる、請求項１〜７のいずれか１項に記載の煙フィルター装置。
【請求項２１】
医療処置中に正圧で使用するための煙フィルター装置であって、
入口と内部キャビティとを有し、かつ第１の側壁と第２の側壁とを有し、第１および第２の側壁がそれぞれ不織布媒体を含んでいる、フィルターハウジング、
第１の側壁に隣接した、疎水性の保持部材を含んだ第１の多孔質フィルター要素を備える第１の煙フィルター、
第１の煙フィルターに流体連通している、プレフィルター要素および／もしくは炭素媒体を含んだ追加の要素、
第２の側壁に隣接した、疎水性の保持部材を含んだ第２の多孔質フィルター要素を備える第２の煙フィルター、
第２の煙フィルターに流体連通している、プレフィルター要素および／もしくは炭素媒体を含んだ追加の要素、
を備え、
ここで、前記フィルター装置は、ガスが前記入口から前記内部キャビティに、第１の煙フィルターとハウジングの第１の側壁とを通り、そして第２の煙フィルターとハウジングの第２の側壁とを通って流れ込むことができる配置になっている煙フィルター装置。
【請求項２２】
第１の多孔質フィルター要素と第２の多孔質フィルター要素がそれぞれ膜を含み、そして第１の煙フィルターに連通しているプレフィルター要素と第２の煙フィルターに連通しているプレフィルター要素がそれぞれ繊維質媒体を含んでいる、請求項21に記載の煙フィルター装置。
【請求項２３】
第１および第２の多孔質フィルター要素がそれぞれＰＴＦＥ膜を含んでいる、請求項21または22に記載の煙フィルター装置。
【請求項２４】
第１および第２の煙フィルターがそれぞれプレフィルター要素と、活性炭を含んでいる臭気低減要素を備える追加の要素とを備える、請求項23に記載の煙フィルター装置。
【請求項２５】
第１の煙フィルターが疎水性の保持部材を含んだ第１の多孔質フィルター要素と、プレフィルター要素と、炭素媒体を含んだ追加の要素とを備え、
第２の煙フィルターが疎水性の保持部材を含んだ第２の多孔質フィルター要素と、プレフィルター要素と、炭素媒体を含んだ追加の要素とを備える、
請求項21に記載の煙フィルター装置。
【請求項２６】
入口と内部キャビティとを有し、かつ第１の側壁と第２の側壁とを有し、少なくとも第１の側壁がガスを通過させることができるフィルターハウジング；ならびに疎水性膜を含んだ多孔質フィルター要素と活性炭媒体を含んだ臭気低減要素とを設けたガスフィルターを備える、医療処置中に正圧で使用するためのガスフィルター装置であって、このガスフィルター装置は、ガスが前記入口から前記内部キャビティに、多孔質フィルター要素、臭気低減要素およびハウジングの第１の側壁を通って流れ込むことができる配置になっている、ガスフィルター装置。
【請求項２７】
入口と内部キャビティとを有し、かつ第１の側壁と第２の側壁とを有し、少なくとも第１の側壁がガスを通過させることができるフィルターハウジング；ならびに疎水性保持部材を含んだ多孔質フィルター要素を設けたガスフィルターを備える、医療処置中に正圧で使用するためのガスフィルター装置であって、このガスフィルター装置は、ガスが前記入口から前記内部キャビティに、多孔質フィルター要素およびハウジングの第１の側壁を通って流れ込むことができる配置になっている、ガスフィルター装置。
【請求項２８】
入口、第１の側壁、および第２の側壁を備える、医療処置中に正圧で使用するためのガスフィルター装置であって、この装置は第１の側壁と第２の側壁との間に内部キャビティを含んでおり、ここで、少なくとも第１の側壁が、疎水性膜を含んだ多孔質フィルター要素を有するガスフィルターを備え、このガスフィルターが第１の表面と反対側の第２の表面とを有し、ここで第１の側壁はガスフィルターの第２の表面を含んでおり、ガスフィルター装置は、ガスが前記入口から前記内部キャビティに、ガスフィルターおよび第１の側壁を通って流れ込むことができる配置になっている、ガスフィルター装置。
【請求項２９】
疎水性膜がＰＴＦＥ膜である、請求項26または28に記載のガスフィルター装置。
【請求項３０】
フィルター要素が疎水性膜を備え、ガスフィルターがさらに炭素を含んだ臭気低減要素を備える、請求項27に記載のガスフィルター装置。
【請求項３１】
フィルター要素の有効濾過面積が少なくとも約12.9 cm2である、請求項26〜30のいずれか１項に記載のガスフィルター装置。
【請求項３２】
ガスフィルターが細菌の通過を実質的に防止するようになっている、請求項26〜31のいずれか１項に記載のガスフィルター装置。
【請求項３３】
ガスフィルターがウイルスの通過を実質的に防止するようになっている、請求項26〜32のいずれか１項に記載のガスフィルター装置。
【請求項３４】
入口に連通している導管をさらに備える、請求項27または28に記載のガスフィルター装置。
【請求項３５】
第１の側壁が網、多孔質織布材料、および多孔質不織布材料の少なくとも１つを含んでいる、請求項26〜34のいずれか１項に記載のガスフィルター装置。
【請求項３６】
疎水性保持部材が繊維質媒体を含んでいる、請求項27に記載のガスフィルター装置。
【請求項３７】
繊維質媒体がガラス繊維を含んでいる、請求項36に記載のガスフィルター装置。
【請求項３８】
繊維質媒体がマイクロガラス繊維を含んでいる、請求項36または37に記載のガスフィルター装置。
【手続補正２】
【補正対象書類名】明細書
【補正対象項目名】００６４
【補正方法】変更
【補正の内容】
【００６４】
一部の態様では、煙フィルター100, 101は、１または２以上のウインドウ要素(window element 、以下「窓あき要素」という) 、例えば、図２〜６および７ｂに示した窓あき要素4, 44 をさらに  備える。１または２以上の窓あき要素は１または２以上の窓または開口部を有することができる。図示した窓あき要素4, 44 の態様は窓または開口部が１つの例である。